【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
ビデオブロックのためのデブロッキングフィルタを制御するベータオフセットパラメータ（ｂｅｔａ＿ｏｆｆｓｅｔ）を復号することと、
前記デブロッキングフィルタのための複数のデブロッキング判断の各々の元のしきい値を求めるために用いられるベータパラメータ（β）値を特定することと、
前記ベータオフセットパラメータに基づいて前記デブロッキングフィルタのための前記複数のデブロッキング判断の各々の変更されたしきい値を求めることと、
前記デブロッキング判断のそれぞれの前記変更されたしきい値に従って前記デブロッキングフィルタのための前記複数のデブロッキング判断の各々を計算すること、ここにおいて、前記変更されたしきい値は、前記変更されたしきい値の整数を変化させるために選択された前記ベータオフセットパラメータの乗数値に基づいて、前記デブロッキング判断のそれぞれの前記元のしきい値から変更される、と、
を備え、
ここにおいて、前記乗数値は整数を備え、および、ここにおいて、
前記変更されたしきい値を求めることは、
前記デブロッキング判断のそれぞれの前記変更されたしきい値が、前記デブロッキング判断のそれぞれの前記元のしきい値と、前記ベータオフセットパラメータの前記乗数値との和に等しいことを求めること、を備える、または、
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備える、
ビデオデータを復号する方法。
【請求項２】
前記インデックスパラメータは、第１のインデックスパラメータを備え、ここにおいて、前記デブロッキングパラメータテーブルまたは式は、第１のデブロッキングパラメータテーブルまたは第１の式を備え、前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記方法は、
前記ビデオブロックの量子化パラメータ値に基づいて第２のインデックスパラメータを計算することと、
第２のデブロッキングパラメータテーブルまたは第２の式のうちの一方に基づいて前記インデックスパラメータを用いて前記ベータパラメータ値を特定することと、
をさらに備える、請求項１に記載の方法。
【請求項３】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値がβに等しいオン／オフデブロッキング判断を備えるとき、前記変更されたしきい値は、β＋Ａ＊ｂｅｔａ＿ｏｆｆｓｅｔに等しく、ただし、Ａは前記乗数値である、請求項１に記載の方法。
【請求項４】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値がβ／８に等しい強／弱デブロッキング判断を備えるとき、前記変更されたしきい値は、（β／８）＋Ｂ＊ｂｅｔａ＿ｏｆｆｓｅｔに等しく、ただし、Ｂは前記乗数値である、請求項１に記載の方法。
【請求項５】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値が３β／１６に等しい弱フィルタ幅デブロッキング判断を備えるとき、前記変更されたしきい値は、（３β／１６）＋Ｃ＊ｂｅｔａ＿ｏｆｆｓｅｔに等しく、ただし、Ｃは前記乗数値である、請求項１に記載の方法。
【請求項６】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記インデックスパラメータを計算することは、前記デブロッキング判断の前記それぞれの１つのための前記元のしきい値に従って選択された前記ベータオフセットパラメータの異なる乗数値に基づいて、前記複数の異なるデブロッキング判断の各々のために別々のインデックスパラメータを計算することを備え、
前記ベータパラメータ値を特定することは、前記異なるデブロッキング判断の各々について前記別々のインデックスパラメータを用いて別々のベータパラメータ値を特定することを備える、請求項１に記載の方法。
【請求項７】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記インデックスパラメータを計算することは、前記デブロッキング判断のための前記元のしきい値のうちの最も小さい元のしきい値に従って選択された前記ベータオフセットパラメータの単一の乗数値に基づいて、前記複数の異なるデブロッキング判断の２つ以上のための単一のインデックスパラメータを計算することを備え、
前記ベータパラメータ値を特定することは、前記２つ以上の異なるデブロッキング判断のために前記単一のインデックスパラメータを用いて単一のベータパラメータ値を特定することを備える、請求項１に記載の方法。
【請求項８】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβに等しいオン／オフデブロッキング判断を備えるとき、前記乗数値は、前記インデックスパラメータが２７より大きいとき２＊Ｎ＊ｂｅｔａ＿ｏｆｆｓｅｔに等しいΔβに結果としてなる前記ベータオフセットパラメータについてＮに等しく設定され、前記変更されたしきい値はβ＋Δβに等しい、請求項１に記載の方法。
【請求項９】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβ／８に等しい強／弱デブロッキング判断を備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記変更されたしきい値は（β＋Δβ）／８に等しい、請求項１に記載の方法。
【請求項１０】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値が３β／１６に等しい弱フィルタ幅デブロッキング判断を備えるとき、前記乗数値は、前記インデックスパラメータが２７より大きいとき６＊ｂｅｔａ＿ｏｆｆｓｅｔに等しいΔβに結果としてなる前記ベータオフセットパラメータについて３に等しく設定され、前記変更されたしきい値は（３（β＋Δβ））／１６に等しい、請求項１に記載の方法。
【請求項１１】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβに等しいオン／オフデブロッキング判断、前記元のしきい値がβ／８に等しい弱／強デブロッキング判断または前記元のしきい値が３β／１６に等しい弱フィルタ幅デブロッキング判断のうちのいずれかを備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記デブロッキング判断のそれぞれの前記変更されたしきい値はβ＋Δβを用いて求められた前記デブロッキング判断のそれぞれの前記元のしきい値に等しい、請求項１に記載の方法。
【請求項１２】
前記ベータオフセットパラメータを復号することは、前記ベータオフセットパラメータを求めるために、ビデオエンコーダから受信された構文要素を復号することを備える、請求項１に記載の方法。
【請求項１３】
ディスプレイデバイス上に提示すること、またはリファレンスブロックとして使用することのうちの少なくとも一方のために、前記複数のデブロッキング判断に従って定義された前記デブロッキングフィルタを、前記ビデオブロックの再構成されたバージョンに適用することをさらに備える、請求項１に記載の方法。
【請求項１４】
ビデオブロックのためのデブロッキングフィルタを制御するベータオフセットパラメータ（ｂｅｔａ＿ｏｆｆｓｅｔ）を符号化することと、
前記デブロッキングフィルタのための複数のデブロッキング判断の各々の元のしきい値を求めるために用いられるベータパラメータ（β）値を特定することと、
前記ベータオフセットパラメータに基づいて前記デブロッキングフィルタのための前記複数のデブロッキング判断の各々の変更されたしきい値を求めることと、
前記デブロッキング判断のそれぞれの前記変更されたしきい値に従って前記デブロッキングフィルタのための前記複数のデブロッキング判断の各々を計算すること、ここにおいて、前記変更されたしきい値は、前記変更されたしきい値の整数を変化させるために選択された前記ベータオフセットパラメータの乗数値に基づいて、前記デブロッキング判断のそれぞれの前記元のしきい値から変更される、と、
を備え、
ここにおいて、前記乗数値は整数を備え、および、ここにおいて、
前記変更されたしきい値を求めることは、
前記デブロッキング判断のそれぞれの前記変更されたしきい値が、前記デブロッキング判断のそれぞれの前記元のしきい値と、前記ベータオフセットパラメータの前記乗数値との和に等しいことを求めること、を備える、または、
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備える、
ビデオデータを符号化する方法。
【請求項１５】
前記インデックスパラメータは、第１のインデックスパラメータを備え、ここにおいて、前記デブロッキングパラメータテーブルまたは式は、第１のデブロッキングパラメータテーブルまたは第１の式を備え、前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記方法は、
前記ビデオブロックの量子化パラメータ値に基づいて第２のインデックスパラメータを計算することと、
第２のデブロッキングパラメータテーブルまたは第２の式のうちの一方に基づいて前記インデックスパラメータを用いて前記ベータパラメータ値を特定することと、
をさらに備える、請求項１４に記載の方法。
【請求項１６】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値がβに等しいオン／オフデブロッキング判断を備えるとき、前記変更されたしきい値は、β＋Ａ＊ｂｅｔａ＿ｏｆｆｓｅｔに等しく、ただし、Ａは前記乗数値である、請求項１４に記載の方法。
【請求項１７】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値がβ／８に等しい強／弱デブロッキング判断を備えるとき、前記変更されたしきい値は、（β／８）＋Ｂ＊ｂｅｔａ＿ｏｆｆｓｅｔに等しく、ただし、Ｂは前記乗数値である、請求項１４に記載の方法。
【請求項１８】
前記変更されたしきい値を求めることは、前記デブロッキング判断のそれぞれの前記変更されたしきい値が、前記デブロッキング判断のそれぞれの前記元のしきい値と、前記ベータオフセットパラメータの前記乗数値との和に等しいことを求めることを備え、前記デブロッキング判断のそれぞれが、前記元のしきい値が３β／１６に等しい弱フィルタ幅デブロッキング判断を備えるとき、前記変更されたしきい値は、（３β／１６）＋Ｃ＊ｂｅｔａ＿ｏｆｆｓｅｔに等しく、ただし、Ｃは前記乗数値である、請求項１４に記載の方法。
【請求項１９】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記インデックスパラメータを計算することは、前記デブロッキング判断の前記それぞれの１つのための前記元のしきい値に従って選択された前記ベータオフセットパラメータの異なる乗数値に基づいて、前記複数の異なるデブロッキング判断の各々のために別々のインデックスパラメータを計算することを備え、
前記ベータパラメータ値を特定することは、前記異なるデブロッキング判断の各々について前記別々のインデックスパラメータを用いて別々のベータパラメータ値を特定することを備える、請求項１４に記載の方法。
【請求項２０】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記インデックスパラメータを計算することは、前記デブロッキング判断のための前記元のしきい値のうちの最も小さい元のしきい値に従って選択された前記ベータオフセットパラメータの単一の乗数値に基づいて、前記複数の異なるデブロッキング判断の２つ以上のための単一のインデックスパラメータを計算することを備え、
前記ベータパラメータ値を特定することは、前記２つ以上の異なるデブロッキング判断のために前記単一のインデックスパラメータを用いて単一のベータパラメータ値を特定することを備える、請求項１４に記載の方法。
【請求項２１】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβに等しいオン／オフデブロッキング判断を備えるとき、前記乗数値は、前記インデックスパラメータが２７より大きいとき２＊Ｎ＊ｂｅｔａ＿ｏｆｆｓｅｔに等しいΔβに結果としてなる前記ベータオフセットパラメータについてＮに等しく設定され、前記変更されたしきい値はβ＋Δβに等しい、請求項１４に記載の方法。
【請求項２２】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβ／８に等しい強／弱デブロッキング判断を備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記変更されたしきい値は（β＋Δβ）／８に等しい、請求項１４に記載の方法。
【請求項２３】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値が３β／１６に等しい弱フィルタ幅デブロッキング判断を備えるとき、前記乗数値は、前記インデックスパラメータが２７より大きいとき６＊ｂｅｔａ＿ｏｆｆｓｅｔに等しいΔβに結果としてなる前記ベータオフセットパラメータについて３に等しく設定され、前記変更されたしきい値は（３（β＋Δβ））／１６に等しい、請求項１４に記載の方法。
【請求項２４】
前記変更されたしきい値を求めることは、
前記ビデオブロックの量子化パラメータ値と、前記ベータオフセットパラメータの前記乗数値との和に基づいてインデックスパラメータを計算することと、
デブロッキングパラメータテーブルまたは式のうちの一方に基づいて前記インデックスパラメータを用いて前記ベータパラメータ値を特定すること、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、
前記デブロッキング判断のそれぞれが、前記元のしきい値がβに等しいオン／オフデブロッキング判断、前記元のしきい値がβ／８に等しい弱／強デブロッキング判断または前記元のしきい値が３β／１６に等しい弱フィルタ幅デブロッキング判断のうちのいずれかを備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記デブロッキング判断のそれぞれの前記変更されたしきい値はβ＋Δβを用いて求められた前記デブロッキング判断のそれぞれの前記元のしきい値に等しい、請求項１４に記載の方法。
【請求項２５】
前記ベータオフセットパラメータを符号化することは、前記ベータオフセットパラメータをビデオデコーダに指示するために構文要素を符号化することを備える、請求項１４に記載の方法。
【請求項２６】
リファレンスブロックとして使用するために前記複数のデブロッキング判断に従って定義された前記デブロッキングフィルタを、前記ビデオブロックの再構成されたバージョンに適用することをさらに備える、請求項１４に記載の方法。
【請求項２７】
ビデオデータを記憶するメモリと、
ビデオブロックのためのデブロッキングフィルタを制御するベータオフセットパラメータ（ｂｅｔａ＿ｏｆｆｓｅｔ）を復号し、前記デブロッキングフィルタのための複数のデブロッキング判断の各々の元のしきい値を求めるために用いられるベータパラメータ（β）値を特定し、前記ベータオフセットパラメータに基づいて前記デブロッキングフィルタのための前記複数のデブロッキング判断の各々の変更されたしきい値を求め、前記デブロッキング判断のそれぞれの前記変更されたしきい値に従って前記デブロッキングフィルタのための前記複数のデブロッキング判断の各々を計算するように構成されるプロセッサと、
を備え、ここにおいて、前記変更されたしきい値は、前記変更されたしきい値の整数を変化させるために選択された前記ベータオフセットパラメータの乗数値に基づいて、前記デブロッキング判断のそれぞれの前記元のしきい値から変更され、
ここにおいて、前記乗数値は整数を備え、および、ここにおいて、
前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成される、または、
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成される、
ビデオ復号デバイス。
【請求項２８】
前記インデックスパラメータは、第１のインデックスパラメータを備え、ここにおいて、前記デブロッキングパラメータテーブルまたは式は、第１のデブロッキングパラメータテーブルまたは第１の式を備え、ここにおいて、前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成され、および、ここにおいて、前記プロセッサは、
前記ビデオブロックの量子化パラメータ値に基づいて第２のインデックスパラメータを計算し、
第２のデブロッキングパラメータテーブルまたは第２の式のうちの一方に基づいて前記インデックスパラメータを用いて前記ベータパラメータ値を特定するように構成される、
請求項２７に記載のビデオ復号デバイス。
【請求項２９】
前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成され、前記デブロッキング判断のそれぞれが、前記元のしきい値がβに等しいオン／オフデブロッキング判断を備えるとき、前記変更されたしきい値は、β＋Ａ＊ｂｅｔａ＿ｏｆｆｓｅｔに等しく、ただし、Ａは前記乗数値である、請求項２７に記載のビデオ復号デバイス。
【請求項３０】
前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成され、前記デブロッキング判断のそれぞれが、前記元のしきい値がβ／８に等しい強／弱デブロッキング判断を備えるとき、前記変更されたしきい値は、（β／８）＋Ｂ＊ｂｅｔａ＿ｏｆｆｓｅｔに等しく、ただし、Ｂは前記乗数値である、請求項２７に記載のビデオ復号デバイス。
【請求項３１】
前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成され、前記デブロッキング判断のそれぞれが、前記元のしきい値が３β／１６に等しい弱フィルタ幅デブロッキング判断を備えるとき、前記変更されたしきい値は、（３β／１６）＋Ｃ＊ｂｅｔａ＿ｏｆｆｓｅｔに等しく、ただし、Ｃは前記乗数値である、請求項２７に記載のビデオ復号デバイス。
【請求項３２】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記プロセッサは、
前記デブロッキング判断の前記それぞれの１つのための前記元のしきい値に従って選択された前記ベータオフセットパラメータの異なる乗数値に基づいて、前記複数の異なるデブロッキング判断の各々のために別々のインデックスパラメータを計算し、
前記異なるデブロッキング判断の各々について前記別々のインデックスパラメータを用いて別々のベータパラメータ値を特定する
ように構成される、請求項２７に記載のビデオ復号デバイス。
【請求項３３】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記プロセッサは、
前記デブロッキング判断のための前記元のしきい値のうちの最も小さい元のしきい値に従って選択された前記ベータオフセットパラメータの単一の乗数値に基づいて、前記複数の異なるデブロッキング判断のうちの２つ以上のための単一のインデックスパラメータを計算し、
前記２つ以上の異なるデブロッキング判断のために前記単一のインデックスパラメータを用いて単一のベータパラメータ値を特定する
ように構成される、請求項２７に記載のビデオ復号デバイス。
【請求項３４】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記デブロッキング判断のそれぞれが、前記元のしきい値がβに等しいオン／オフデブロッキング判断を備えるとき、前記乗数値は、前記インデックスパラメータが２７より大きいとき２＊Ｎ＊ｂｅｔａ＿ｏｆｆｓｅｔに等しいΔβに結果としてなる前記ベータオフセットパラメータについてＮに等しく設定され、前記変更されたしきい値はβ＋Δβに等しい、請求項２７に記載のビデオ復号デバイス。
【請求項３５】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記デブロッキング判断のそれぞれが、前記元のしきい値がβ／８に等しい強／弱デブロッキング判断を備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記変更されたしきい値は（β＋Δβ）／８に等しい、請求項２７に記載のビデオ復号デバイス。
【請求項３６】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記デブロッキング判断のそれぞれが、前記元のしきい値が３β／１６に等しい弱フィルタ幅デブロッキング判断を備えるとき、前記乗数値は、前記インデックスパラメータが２７より大きいとき６＊ｂｅｔａ＿ｏｆｆｓｅｔに等しいΔβに結果としてなる前記ベータオフセットパラメータについて３に等しく設定され、前記変更されたしきい値は（３（β＋Δβ））／１６に等しい、請求項２７に記載のビデオ復号デバイス。
【請求項３７】
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成され、
ここにおいて、前記デブロッキング判断のそれぞれが、前記元のしきい値がβに等しいオン／オフデブロッキング判断、前記元のしきい値がβ／８に等しい弱／強デブロッキング判断または前記元のしきい値が３β／１６に等しい弱フィルタ幅デブロッキング判断のうちのいずれかを備えるとき、前記乗数値は、前記インデックスパラメータが２７より大きいとき８＊ｂｅｔａ＿ｏｆｆｓｅｔに等しいΔβに結果としてなる前記ベータオフセットパラメータについて４に等しく設定され、前記デブロッキング判断のそれぞれの前記変更されたしきい値はβ＋Δβを用いて求められた前記デブロッキング判断のそれぞれの前記元のしきい値に等しい、請求項２７に記載のビデオ復号デバイス。
【請求項３８】
ビデオブロックのためのデブロッキングフィルタを制御するベータオフセットパラメータ（ｂｅｔａ＿ｏｆｆｓｅｔ）を復号するための手段と、
前記デブロッキングフィルタのための複数のデブロッキング判断の各々の元のしきい値を求めるために用いられるベータパラメータ（β）値を特定するための手段と、
前記ベータオフセットパラメータに基づいて前記デブロッキングフィルタのための前記複数のデブロッキング判断の各々の変更されたしきい値を求めるための手段と、
前記デブロッキング判断のそれぞれの前記変更されたしきい値に従って前記デブロッキングフィルタのための前記複数のデブロッキング判断の各々を計算するための手段、ここにおいて、前記変更されたしきい値は、前記変更されたしきい値の整数を変化させるために選択された前記ベータオフセットパラメータの乗数値に基づいて、前記デブロッキング判断のそれぞれの前記元のしきい値から変更される、と、
を備え、
ここにおいて、前記乗数値は整数を備え、および、ここにおいて、
前記変更されたしきい値を求めるための手段は、
前記デブロッキング判断のそれぞれの前記変更されたしきい値が、前記デブロッキング判断のそれぞれの前記元のしきい値と、前記ベータオフセットパラメータの前記乗数値との和に等しいことを求めるための手段、を備える、または、
前記変更されたしきい値を求めるための手段は、
前記ビデオブロックの量子化パラメータ値と、前記ベータオフセットパラメータの前記乗数値との和に基づいてインデックスパラメータを計算するための手段と、
デブロッキングパラメータテーブルまたは式のうちの一方に基づいて前記インデックスパラメータを用いて前記ベータパラメータ値を特定するための手段、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備える、
ビデオ復号デバイス。
【請求項３９】
前記インデックスパラメータは、第１のインデックスパラメータを備え、ここにおいて、前記デブロッキングパラメータテーブルまたは式は、第１のデブロッキングパラメータテーブルまたは第１の式を備え、ここにおいて、前記変更されたしきい値を求めるための手段は、
前記デブロッキング判断のそれぞれの前記変更されたしきい値が、前記デブロッキング判断のそれぞれの前記元のしきい値と、前記ベータオフセットパラメータの前記乗数値との和に等しいことを求めるための手段を備え、前記デバイスは、
前記ビデオブロックの量子化パラメータ値に基づいて第２のインデックスパラメータを計算するための手段と、
第２のデブロッキングパラメータテーブルまたは第２の式のうちの一方に基づいて前記インデックスパラメータを用いて前記ベータパラメータ値を特定するための手段と、
をさらに備える、請求項３８に記載のビデオ復号デバイス。
【請求項４０】
前記変更されたしきい値を求めるための手段は、
前記ビデオブロックの量子化パラメータ値と、前記ベータオフセットパラメータの前記乗数値との和に基づいてインデックスパラメータを計算するための手段と、
デブロッキングパラメータテーブルまたは式のうちの一方に基づいて前記インデックスパラメータを用いて前記ベータパラメータ値を特定するための手段、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、前記デバイスは、
前記デブロッキング判断の前記それぞれの１つのための前記元のしきい値に従って選択された前記ベータオフセットパラメータの異なる乗数値に基づいて、前記複数の異なるデブロッキング判断の各々のために別々のインデックスパラメータを計算するための手段と、
前記異なるデブロッキング判断の各々について前記別々のインデックスパラメータを用いて別々のベータパラメータ値を特定するための手段と、
をさらに備える、請求項３８に記載のビデオ復号デバイス。
【請求項４１】
前記変更されたしきい値を求めるための手段は、
前記ビデオブロックの量子化パラメータ値と、前記ベータオフセットパラメータの前記乗数値との和に基づいてインデックスパラメータを計算するための手段と、
デブロッキングパラメータテーブルまたは式のうちの一方に基づいて前記インデックスパラメータを用いて前記ベータパラメータ値を特定するための手段、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、と、
を備え、前記デバイスは、
前記デブロッキング判断のための前記元のしきい値のうちの最も小さい元のしきい値に従って選択された前記ベータオフセットパラメータの単一の乗数値に基づいて、前記複数の異なるデブロッキング判断の２つ以上のための単一のインデックスパラメータを計算するための手段と、
前記２つ以上の異なるデブロッキング判断のために前記単一のインデックスパラメータを用いて単一のベータパラメータ値を特定するための手段と、
をさらに備える、請求項３８に記載のビデオ復号デバイス。
【請求項４２】
実行されるとき、１つまたは複数のプロセッサに、
ビデオブロックのためのデブロッキングフィルタを制御するベータオフセットパラメータ（ｂｅｔａ＿ｏｆｆｓｅｔ）を復号させ、
前記デブロッキングフィルタのための複数のデブロッキング判断の各々の元のしきい値を求めるために用いられるベータパラメータ（β）値を特定させ、
前記ベータオフセットパラメータに基づいて前記デブロッキングフィルタのための前記複数のデブロッキング判断の各々の変更されたしきい値を求めさせ、
前記デブロッキング判断のそれぞれの前記変更されたしきい値に従って前記デブロッキングフィルタのための前記複数のデブロッキング判断の各々を計算させるための、ビデオデータを復号するための命令を備え、
前記変更されたしきい値は、前記変更されたしきい値の整数を変化させるために選択された前記ベータオフセットパラメータの乗数値に基づいて、前記デブロッキング判断のそれぞれの前記元のしきい値から変更され、ここにおいて、前記乗数値は整数を備え、および、ここにおいて、
実行されるとき、１つまたは複数のプロセッサに、前記変更されたしきい値を求めさせるための前記命令は、実行されるとき、前記１つまたは複数のプロセッサに、
前記デブロッキング判断のそれぞれの前記変更されたしきい値が、前記デブロッキング判断のそれぞれの前記元のしきい値と、前記ベータオフセットパラメータの前記乗数値との和に等しいことを求めさせるための命令を備える、または、
実行されるとき、１つまたは複数のプロセッサに、前記変更されたしきい値を求めさせるための前記命令は、実行されるとき、前記１つまたは複数のプロセッサに、
前記ビデオブロックの量子化パラメータ値と、前記ベータオフセットパラメータの前記乗数値との和に基づいてインデックスパラメータを計算させ、
デブロッキングパラメータテーブルまたは式のうちの一方に基づいて前記インデックスパラメータを用いて前記ベータパラメータ値を特定させる、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ための命令を備える、
非一時的コンピュータ可読媒体。
【請求項４３】
ビデオデータを記憶するメモリと、
ビデオブロックのためのデブロッキングフィルタを制御するベータオフセットパラメータ（ｂｅｔａ＿ｏｆｆｓｅｔ）を符号化し、前記デブロッキングフィルタのための複数のデブロッキング判断の各々の元のしきい値を求めるために用いられるベータパラメータ（β）値を特定し、前記ベータオフセットパラメータに基づいて前記デブロッキングフィルタのための前記複数のデブロッキング判断の各々の変更されたしきい値を求め、前記デブロッキング判断のそれぞれの前記変更されたしきい値に従って前記デブロッキングフィルタのための前記複数のデブロッキング判断の各々を計算するように構成されるプロセッサと、
を備え、ここにおいて、前記変更されたしきい値は、前記変更されたしきい値の整数を変化させるために選択された前記ベータオフセットパラメータの乗数値に基づいて、前記デブロッキング判断のそれぞれの前記元のしきい値から変更され、
ここにおいて、前記乗数値は整数を備え、および、ここにおいて、
前記変更されたしきい値を求めるために、前記プロセッサは、
前記デブロッキング判断のそれぞれの前記変更されたしきい値が、前記デブロッキング判断のそれぞれの前記元のしきい値と、前記ベータオフセットパラメータの前記乗数値との和に等しいことを求めるように構成される、または、
前記変更されたしきい値を求めるために、前記プロセッサは、
前記ビデオブロックの量子化パラメータ値と、前記ベータオフセットパラメータの前記乗数値との和に基づいてインデックスパラメータを計算し、
デブロッキングパラメータテーブルまたは式のうちの一方に基づいて前記インデックスパラメータを用いて前記ベータパラメータ値を特定する、ここにおいて、前記ベータオフセットパラメータの前記乗数値は、結果として、前記変更されたしきい値の整数を変化させる前記ベータパラメータ値の増分（Δβ）をもたらし、前記デブロッキング判断のそれぞれの前記変更されたしきい値は、β＋Δβを用いて求められた前記デブロッキング判断のそれぞれの前記元のしきい値に等しい、
ように構成される、
ビデオ符号化デバイス。